(57)【要約】【課題】使用者の体格に関係なく、幼いの子供には送風量の変更による静音運転を実施することができる手乾燥装置を提供することを目的としている。【解決手段】製品外郭に設けた前記センサー７ａと前記センサー７ｂの検知状況で使用者の身長を判断し、乾燥室の開口した挿入口から手を抜き差しされたことを、手検知部５で検知後、制御部６からファンモータ４への運転指令は、起動運転時から幼い子供には、送風量を絞った弱運転を実施する手乾燥装置を提供できる。【選択図】図１
2009291225.tif 000002
【特許請求の範囲】
【請求項１】
外部に向かって開口した挿入口から手を抜き差しできる乾燥室と、前記乾燥室内の底部の水受け部と、前記水受け部に向けて空気を送出するノズルと前記ノズルから空気を送出するファンモータと、前記乾燥室の開口した挿入口から手を抜き差しされたことを検知する手検知部と、前記手検知部からの信号より前記ファンモータを動作させる制御部を備え、前記制御部は使用者の身長の情報を検知する構成とした手乾燥装置。
【請求項２】
制御部に使用者の身長の情報を記憶可能とする記憶装置を備えた請求項１に記載の手乾燥装置。
【請求項３】
制御部が検知した使用者の身長の情報を表示する表示手段を備えた請求項１または２に記載の手乾燥装置。
【請求項４】
制御部は使用者の身長の情報を検知し、使用者の身長に合わせた送風量で始動することを特徴とする請求項１〜３のいずれかに記載の手乾燥装置。
【請求項５】
制御部が検知した使用者の身長の情報をもとに、起動運転後に送風量を変更可能にする風速変更操作手段を備えたことを特徴とする請求項１〜４のいずれかに記載の手乾燥装置。
【請求項６】
制御部が検知した使用者の身長の情報をもとに、起動運転後に吹出し口のルーバーの向きを可動させて、風のあたる部分の面積を小さくし、狭範囲で送風させるルーバー可動手段を備えたことを特徴とする請求項１〜５のいずれかに記載の手乾燥装置。
【請求項７】
制御部は、外部入力信号を検知可能とし、外部入力信号の有無を確認後、ファンモータを始動させる外部信号検知部を備えたシステム構成にすることを特徴とする請求項１〜６のいずれかに記載の手乾燥装置。
【請求項８】
制御部は、ファンモータが動作中に外部入力を検知すると、送風量の変更を可能としたシステム構成を特徴とする請求項１〜７のいずれかに記載の手乾燥装置。
【請求項９】
前記制御部は、複数の外部入力信号を検知可能とし、外部入力信号の有無を確認後、前記ファンモータを始動させるシステム構成にすることを特徴とする請求項１〜８のいずれかに記載の手乾燥装置。
【請求項１０】
前記制御部は、ファンモータが動作中に複数の外部入力のうち、１つでも検知すると、送風量の変更を可能としたシステム構成を特徴とする請求項１〜９のいずれかに記載の手乾燥装置。
【発明の詳細な説明】
【技術分野】
【０００１】
本発明は、例えば幼い子供等に使用感を向上させた手乾燥装置に関するものである。
【背景技術】
【０００２】
洗浄後の濡れた手を衛生的に乾燥させる装置として、高速空気流により手に付着した水滴を吹き飛ばして乾燥させる手乾燥装置が知られている（例えば、特許文献１参照）。
【０００３】
また、この装置は、本体の乾燥室に手を挿入するための開口部が設けられ、乾燥室の壁面に傾けて設けられた赤外線発光素子と赤外線受光素子からなる手検出部が設けられている。
【０００４】
さらに、手検出部により手を検知すると本体に内蔵された送風装置が作動し、吹き出し口から乾燥室へ高速空気流が噴射して、手に付着した水分を吹き飛ばして、手を乾燥させる構成となっていた。
【特許文献１】特開平１１−３１８７６０号公報
【発明の開示】
【発明が解決しようとする課題】
【０００５】
このような従来の手乾燥装置では、使用者の体格や年齢に関係なく、同一風速で気流を吹き出すために、幼い子供や老人にはジェット気流は強く、しかも子供はハンカチを持たないことが多く利用されるターゲットであるにも関わらず、使用されていない場合がある。
【０００６】
また、子供は身長が低いために、吹き出し口の周辺に顔が来ることで、手を伝わって送風が顔にあたり不快を感じることもある。
【０００７】
さらにファンモータのジェット気流の音も大きいことから、子供は耳を塞ぎ利用されていないケースがあるという課題があった。
【０００８】
本発明は、このような従来の課題を解決するものであり、使用者の体格を判断し、自動運転にて、幼いの子供には送風量の変更による静音運転を実施することができる手乾燥装置を提供することを目的としている。
【０００９】
また、使用者の体格の関係だけでなく、周りの環境条件（例えば、女性用トイレでは、手乾燥装置の近くにあるおむつ台で、頻繁におむつ交換をする赤ちゃんがいる場合）に基づいて送風量を抑えることができないという課題があった。
【００１０】
本発明は、このような従来の課題を解決するものであり、使用者の体格の関係だけでなく、周りの環境条件に応じて、送風量の変更による静音運転を実施することができる手乾燥装置を提供することを目的としている。
【課題を解決するための手段】
【００１１】
本発明の手乾燥装置は、上記目標を達成するため、外部に向かって開口した挿入口から手を抜き差しできる乾燥室と、前記乾燥室内の底部の水受け部と、前記水受け部に向けて空気を送出するノズルと前記ノズルから空気を送出するファンモータと、前記乾燥室の開口した挿入口から手を抜き差しされたことを検知する手検知部と、前記手検知部からの信号より前記ファンモータを動作させる制御部を備え、前記制御部は使用者の身長の情報を検知する構成としたものである。
【００１２】
この手段により、設置場所は公共施設が多く、体格や年齢層もバラバラであり、利用率を向上させることで、市場拡大を図るために、使用者の体格を判断し、自動運転にて、幼い子供には送風量の変更による静音運転を実施することができる手乾燥装置が得られる。
【００１３】
また、制御部に使用者の身長の情報を記憶可能とする記憶装置を備えたものである。
【００１４】
この手段により、日々の使用者の身長情報を日時毎に記憶させることで、利用者の体格情報が蓄積され、把握して設置位置をより適切な高さに再度調整することができる手乾燥装置が得られる。
【００１５】
また、制御部が検知した使用者の身長の情報を表示する表示手段を備えたものである。
【００１６】
この手段により、使用者の体格を自動判定した結果を手乾燥装置の外郭に表示することで、利用者の体格情報を表示して把握することで設置位置をより適切な高さに再度調整することができる手乾燥装置が得られる。
【００１７】
また、制御部は使用者の身長の情報を検知し、使用者の身長に合わせた送風量で起動するものである。
【００１８】
この手段により、例えば、子供なら弱運転スタート、大人なら強運転スタートのように使用者の体格に応じて起動運転時の送風量の変更が可能な自動運転設定が実現することができる手乾燥装置が得られる。
【００１９】
また、制御部が検知した使用者の身長の情報をもとに、起動運転後に送風量を変更可能にする風速変更操作手段を備えたものである。
【００２０】
この手段により、起動運転時の送風量から風速変更操作手段にて、送風量の変更を実現することができる手乾燥装置が得られる。
【００２１】
また、制御部が検知した使用者の身長の情報をもとに、起動運転後に吹出し口のルーバーの向きを可動させて、風のあたる部分の面積を小さくし、狭範囲で送風させるルーバー可動手段を備えたものである。
【００２２】
この手段により、送風量を変更してもルーバーの向きを変えて使用者にあたる単位面積あたりの送風量を確保して乾燥時間が長くなることを防止することができる手乾燥装置が得られる。
【００２３】
また、制御部は、外部入力信号を検知可能とし、外部入力信号の有無を確認後、ファンモータを起動させる外部信号検知部を備えたシステム構成にするものである。
【００２４】
この手段により、外部入力信号は、重量の検知を可能とし、トイレなどの共有空間に設置された手乾燥装置の周辺に設置されているベビーベットを音に敏感な赤ちゃんが利用している場合に、重量によりその存在の有無を検知してファンモータを起動することができる手乾燥装置が得られる。
【００２５】
また、制御部は、ファンモータが動作中に外部入力を検知すると、送風量の変更を可能としたシステム構成とするものである。
【００２６】
この手段により、トイレなどの共有空間に設置された手乾燥装置の周辺に設置されているベビーベットを音に敏感な赤ちゃんが利用している場合に、外部入力を検知して、手乾燥装置の利用開始の即座に、ファンモータの回転数を落として、送風量を減少させた静音運転を実現することができる手乾燥装置が得られる。
【００２７】
また、制御部は、複数の外部入力信号を検知可能とし、外部入力信号の有無を確認後、前記ファンモータを始動させるシステム構成にするものである。
【００２８】
この手段により、複数のセンサーにて検知した外部入力信号は、重量の検知を可能とし、トイレなどの共有空間に設置された手乾燥装置の周辺に設置されているベビーベットを音に敏感な赤ちゃんが利用している場合に、重量によりその存在の有無を検知してファンモータを起動することができる手乾燥装置が得られる。
【００２９】
また、制御部は、ファンモータが動作中に複数の外部入力のうち、１つでも検知すると、送風量の変更を可能としたシステム構成をするものである。
【００３０】
この手段により、トイレなどの共有空間に設置された手乾燥装置の周辺に設置されている複数のベビーベットのうちいずれかを利用している音に敏感な赤ちゃん達が利用した場合に、いずれかの外部入力が検知信号を検知し、手乾燥装置の利用開始の即座に、ファンモータの回転数を落として、送風量を減少させた静音運転を実現することができる手乾燥装置が得られる。
【発明の効果】
【００３１】
本発明によれば、外部に向かって開口した挿入口から手を抜き差しできる乾燥室と、前記乾燥室内の底部の水受け部と、前記水受け部に向けて空気を送出するノズルと前記ノズルから空気を送出するファンモータと、前記乾燥室の開口した挿入口から手を抜き差しされたことを検知する手検知部と、前記手検知部からの信号より前記ファンモータを動作させる制御部を備えていることにより、使用者の体格情報を検知し、体格の大きい大人と体格小さい子供等の判断をし、幼いの子供には送風量の変更による静音運転を実施することができる手乾燥装置を提供する。
【発明を実施するための最良の形態】
【００３２】
本発明の請求項１記載の発明は、外部に向かって開口した挿入口から手を抜き差しできる乾燥室と、前記乾燥室内の底部の水受け部と、前記水受け部に向けて空気を送出するノズルと前記ノズルから空気を送出するファンモータと、前記乾燥室の開口した挿入口から手を抜き差しされたことを検知する手検知部と、前記手検知部からの信号より前記ファンモータを動作させる制御部を備え、前記制御部は使用者の身長の情報を検知する構成としたものであり、身長の情報を検知することで、使用者の体格情報を入手して手乾燥装置を動作させることとなる。
【００３３】
また、請求項２記載の発明は、制御部に使用者の身長の情報を記憶可能とする記憶装置を備えたものであり、利用者の体格情報と運転回数を蓄積して日時毎に集計し、記憶するだけでなく、集計データを取り出し設置位置の再調整を容易に行うという作用を有する。
【００３４】
また、請求項３記載の発明は、制御部が検知した使用者の身長の情報を表示する表示手段を備えたものであり、利用者の体格情報と運転回数を蓄積して日時毎に集計し、集計データを表示することで設置位置の再調整を容易に行うという作用を有する。
【００３５】
また、請求項４記載の発明は、制御部は使用者の身長の情報を検知し、使用者の身長に合わせた送風量で始動する制御部を備えたものであり、使用者の身長の情報により、ファンモータの起動動作の回転数を変更し、体格小の子供と判断した場合には、弱運転することで風速量を抑えることができるという作用を有する。
【００３６】
また、請求項５記載の発明は、制御部が検知した使用者の身長の情報をもとに、起動運転後に送風量を変更可能にする風速変更操作手段を有する制御部を備えたものであり、他の手段は、製品外郭に上下に設けたセンサーの入力を検知し、ファンモータの起動運転後に風速変更操作手段にて、ファンモータの回転数を変更できるために、使用者の感覚が風量不足を感じたときに、改善することができるという作用を有する。
【００３７】
また、請求項６記載の発明は、制御部が検知した使用者の身長の情報をもとに、起動運転後に吹出し口のルーバーの向きを可動させて、風のあたる部分の面積を小さくし、狭範囲で送風させるルーバー可動手段を有する制御部を備えたものであり、ファンモータが弱運転時のみ起動後に、ノズル内のルーバーの向きを変更させて、単位面積あたりの送風量を増やして、風速を確保して、弱運転による乾燥時間の改善をすることができるという作用を有する。
【００３８】
また、請求項７記載の発明は、制御部は、外部入力信号を検知可能とし、外部入力信号の有無を確認後、ファンモータを起動させる外部信号検知部を有する制御部を備えたものであり、外部入力信号を検知したら、ファンモータの起動動作の回転数を小さくした弱運転に変更することで、送風量を抑えた静音運転をすることができるという作用を有する。
【００３９】
また、請求項８記載の発明は、制御部は、ファンモータが動作中に外部入力を検知すると、送風量の変更を可能とした制御部を備えたものであり、ファンモータの起動運転後に新たな外部入力を検知したら、ファンモータの回転数を小さくした弱運転に変更することができ、送風量を抑えた静音運転をすることができるという作用を有する。
【００４０】
また、請求項９記載の発明は、制御部は、複数の外部入力信号を検知可能とし、外部入力信号の有無を確認後、前記ファンモータを始動させる制御部を備えたものであり、いずれかの外部入力信号を検知したら、ファンモータの起動動作の回転数を小さくした弱運転に変更することで、送風量を抑えた静音運転をすることができるという作用を有する。
【００４１】
また、請求項１０記載の発明は、制御部は、ファンモータが動作中に複数の外部入力のうち、１つでも検知すると、送風量の変更を可能とした制御部を備えたものであり、いずれかの外部入力を検知したら、ファンモータの回転数を小さくした弱運転に変更することができ、送風量を抑えた静音運転をすることができるという作用を有する。
【００４２】
以下、本発明の実施の形態について図面を参照しながら説明する。
【００４３】
（実施の形態１）
図１は、本実施の形態１における手乾燥装置の側断面図を示す。
【００４４】
図２は、同手乾燥装置の正面図を示す。
【００４５】
図３〜７は、同手乾燥装置に関するフローチャートを示す。
【００４６】
図１と図２に示すように、外部に向かって開口した挿入口から手を抜き差しできる乾燥室１と、前記乾燥室１内の底部の水受け部２と、前記水受け部２に向けて空気を送出するノズル３と、前記ノズル３から空気を送出するファンモータ４と、前記乾燥室１の開口した挿入口から手を抜き差しされたことを検知する手検知部５と、前記手検知部５からの信号より前記ファンモータ４を動作させる制御部６と、製品外郭の前面に上下に隔てて位置させて設けたセンサー７ａとセンサー７ｂと、手乾燥装置である本体８と、前記制御部６には、前記センサー７ａと前記センサー７ｂから検知された信号の内容と検知頻度の回数を記憶する記憶装置９と、前記記憶装置９が検知した内容より、使用者の情報を前記本体８の製品外郭の前面に表示させる表示手段１０と、前記センサー７ａと前記センサー７ｂにより、前記ファンモータ４が動作された後に送風量を変更したい時に操作する製品外郭の正面に設けられた風速変更操作手段１１と、前記ノズル３からの送風で、前記センサー７ａと前記センサー７ｂにより、前記ノズル３からの送風の向きを変更させるルーバー１２と、前記ルーバー１２の向きを機械的に変更させるための可動部であるルーバー可動手段１３を設けている。
【００４７】
また、前記手検知部５の一例として、赤外線受発光素子や側距センサーなどを用いて、前記乾燥室１内の手の抜き差しを検知することができる。
【００４８】
さらに、前記手検知部５からの信号を検知した前記制御部６は、前記手検知部５が検知している間、前記ファンモータ４を動作し続け、検知しなくなったら、前記ファンモータ４を停止させることができる。
【００４９】
また、前記センサー７ａと前記センサー７ｂの一例として、広範囲が検知可能な赤外線受発光素子などを用いて、上下に設けられた前記センサー７ａと前記センサー７ｂの検知状況より、使用者の体格の大小を判断し、前記制御部６に検知結果を伝えることができる。
【００５０】
さらに、前記制御部６に搭載された前記記憶装置９の一例として、ＥＥＰＲＯＭなどの記憶装置で、前記センサー７ａと前記センサー７ｂで検知された結果と検知回数を前記制御部６からの信号で記憶し、必要な時に記憶されたデータを取り出すことができる。
【００５１】
また、前記表示手段１０の一例として、ＬＥＤやＬＣＤなどで、前記制御部６からの信号により、製品外郭の正面に備えた前記表示手段１０に運転状況や風量情報だけでなく、前記センサー７ａと前記センサー７ｂが検知した体格の大小の結果を表示することで、現在の運転状況を使用者に伝えることができる。
【００５２】
さらに、前記風速変更操作手段１１の一例として、スイッチなどの入力手段で押すことで信号を前記制御部６に伝えることが可能であり、製品外郭の正面に大きく設置し、子供が操作しやすいように機構的な構造のパネルスイッチなどである。
【００５３】
また、前記ルーバー可動手段１３の一例としては、ステッピングモータなどが用いられ、前記センサー７ａと前記センサー７ｂが検知した使用者の体格の大小の結果より、前記制御部６は、前記ルーバー可動手段１３へ変更したい角度の情報を伝えることで、前記ルーバー可動手段１３が可動し、前記ルーバー１２の送風角度を変更し、前記ノズル３からの空気の送風角度を変更することができる。
【００５４】
上記構成において、図３のフローチャートで説明すると、一般的な動きとしては、製品外郭に設けた前記センサー７ａと前記センサー７ｂは、使用者の身長を検出するために設けられており、下段のセンサー７ａは製品の前に使用者が立っていることを検知するために低い高さに設置されている。
【００５５】
また、上段のセンサー７ｂは使用者の体格を高さにて検知がするものであるため、前記センサー７ａと前記センサー７ｂの両方を検知した場合は、体格が大きいすなわち大人と判断する。
【００５６】
さらに、前記センサー７ａと前記センサー７ｂの内、前記センサー７ａだけの検知した場合は、高さの低い位置に配置したセンサー７ａのみの検知なので、体格が小さいすなわち子供等と判断することができ、使用者が製品の前から離れるまで、前記センサー７ａと前記センサー７ｂが検知した結果を継続して認識することになる。
【００５７】
また、図４のフローチャートのように、前記センサー７ａと前記センサー７ｂが検知した体格情報と使用者が製品の前から離れるまでを１回とカウントした検知回数を前記制御部６が前記記憶装置９に記憶させることができる。
【００５８】
さらに、前記センサー７ａと前記センサー７ｂが検知した体格情報を、前記制御部６内の前記記憶装置９から前記表示手段１０へ体格情報を送ることで、製品の外郭の前面にある前記表示手段１０には、ＬＥＤ等のランプにて現在の運転状態だけでなく、使用者が子供であること又は、大人であることを表示することができる。
【００５９】
また、従来の手乾燥装置のでは、製品の前記ファンモータ４の運転モードは、強運転と弱運転の設定があるが、モードがスイッチ等にて固定されていることが多かった。しかし、図５のフローチャートのように、本実施の形態では、自動運転モードを設定可能とし、使用者の体格を判断するために、前記センサー７ａと前記センサー７ｂが検知した体格情報を前記制御部６に伝えることで、前記センサー７ａと前記センサー７ｂが両方検知した場合は、体格が大きいすなわち大人と認識し、前記手検知部５が手を検知したら、前記ファンモータ４は、強運転で始動することができる。
【００６０】
さらに、前記センサー７ａしか検知しなかった場合は、体格が小さいすなわち子供等と認識し、前記手検知部５が手を検知したら、前記ファンモータ４は、弱運転で始動することができる。
【００６１】
また、図６のフローチャートに示すように、前記センサー７ａと前記センサー７ｂの検知により、前記ファンモータ４が始動を開始した運転モードに対して、使用者の要望により、製品外郭の正面に設置されている前記風速変更操作手段１１を操作することにより、弱運転が強運転になり、強運転が弱運転に変更することができる。
【００６２】
さらに、図７のフローチャートに示すように、前記センサー７ａと前記センサー７ｂの検知により、前記センサー７ａしか検知しなかった場合は体格が小さいすなわち子供等と認識し、前記ファンモータ４が弱運転を開始した時に、前記ノズル３内の前記ルーバー１２の風向角度を変更するために、前記ルーバー可動手段１３を可動させて、手の小さな子供への前記ノズル３からの送風を広範囲から子供の手のサイズに絞った狭範囲に前記ルーバー可動手段１３にて変更させることで、単位面積あたりの送風量を確保して、弱運転による送風風速の低下を改善することができる。そして、乾燥時時間は長くすることなく、大人の場合と同程度にすることができる。
【００６３】
以上のように、前記センサー７ａと前記センサー７ｂより、使用者の体格情報を検知することで、体格が大きい大人と体格が小さい子供等の判断が可能となり、それに応じた手乾燥装置の運転を行うことができる。
【００６４】
また、特に、公衆トイレ当使用者が不特定の場所に設置した場合に、使用者の体格情報を検知し、時間毎に記憶させることで、使用者の体格別の利用状況を把握し集計できるため、使用実績を確認することができるだけでなく、紙タオルなどの代替化に手乾燥装置を導入したときには、コストパフォーマンスを比較したり、利用率の改善に努めることもできる。
【００６５】
さらに、使用者の体格情報を検知することで、手乾燥装置の設置高さの再調節容易に行うことができ、使い勝手の良い商品を提供することができる。
【００６６】
また、使用者の体格情報を検知し、起動時の前記ファンモータ４の回転数を変更し、送風量を変更することで、幼いの子供や老人の場合は、運転時に弱運転起動することで、送風量を抑えた運転をすることができ、子供等にもやさしく使いやすい商品を提供することができる。
【００６７】
さらに、使用者の体格情報を検知し、使用者の感覚が風量不足や過剰風量を感じたとき送風量を変更でき、使用者の要望に応える商品を提供することができる。
【００６８】
また、前記ノズル３内の前記ルーバー１２の向きを変更させることで、手の小さい子供には、広範囲の送風を避けて、狭範囲に送風させて、単位面積あたりの送風量を確保させることで、乾燥時間の延長の防止と消費電力の低下に応える商品を提供することができる。
【００６９】
（実施の形態２）
図８は、本発明の実施の形態２の手乾燥装置の側断面図を示す。
【００７０】
図９は、同手乾燥装置のシステム構成図を示す。
【００７１】
図１０〜１３は、同手乾燥装置に関するフローチャート図を示す。
【００７２】
図８と図９に示すように、製品外に設けた外部入力を検知可能とする外部信号検知部１４ａと外部信号検知部１４ｂと、前記外部信号検知部１４ａと前記外部信号検知部１４ｂの検知部内部構造にあるセンサー１５ａとセンサー１５ｂと、前記外部信号検知部１４ａと前記外部信号検知部１４ｂの製品外に設置してある外部入力を検知して、前記ファンモータ４を動作させる制御部６ａを備えている。
【００７３】
また、外部信号検知部１４ａと外部信号検知部１４ｂの一例としては、重量を検知できるセンサーなどを搭載した検知部で、女性用トイレなどに手乾燥装置の周辺に設置してある赤ちゃん用のオムツを取り替えるベットの下などに設置して、赤ちゃんの有無を検知することができる。
【００７４】
さらに、センサー１５ａとセンサー１５ｂの一例としては、重量を検知するセンサーや重さで前記制御部６ａへ信号入力が可能なスイッチなどがある。
【００７５】
上記構成において、図１０のフローチャートで説明すると、一般的な動きとしては、前記本体８は、自動運転モードを設定可能とし、共同空間を利用する女性トイレなどにおいて、使用者条件だけでなく、周辺の環境条件にて製品の運転状態を変更できるようにするために、女性用トイレ空間などに多く見られる手乾燥装置の周辺に赤ちゃん用のオムツ台が設置してある環境において、製品外に設けた前記外部信号検知部１４ａがオムツ台の下に設置してあり、前記本体８とシステム構成されている。
【００７６】
また、おむつ台に赤ちゃんがいる場合は、おむつが濡れているために機嫌が悪いことが多く、かつ赤ちゃん自体が音に敏感なために女性用トイレ空間においては静寂性が求められていることから、前記外部信号検知部１４ａの前記センサー１５ａが重量を検知すると、前記制御部６ａに信号を伝わり、前記手検知部５が使用者の手を検知すると、静音を考慮した弱運転で起動することで、赤ちゃんを驚かすことなく、手乾燥装置を使用することができる。
【００７７】
さらに、前記外部信号検知部１４ａの前記センサー１５ａが重量を検知しなければ、通常通りの強運転にて、使用者優先の運転をすることができる。
【００７８】
また、図１１のフローチャートのように、前記外部信号検知部１４ａの前記センサー１５ａが重量を検知しない状態で、前記手検知部５が使用者の手を検知すると、強運転で起動するが、起動途中に新たな前記外部信号検知部１４ａの前記センサー１５ａが重量を検知すると、オムツ台に赤ちゃんがいることを検知したために、即座に弱運転に変更させることができる。
【００７９】
さらに、図１２のフローチャートのように、女性トイレ空間の手乾燥装置の周辺に赤ちゃん用のオムツ台は１台とは限らず、複数あることが多く、赤ちゃんが増えるとさらに静寂を保つことが困難となることから、複数の入力を受け付ける前記制御部６ａにより、例えば、２台設置を想定して説明すると、前記外部信号検知部１４ａの前記センサー１５ａと前記外部信号検知部１４ｂの前記センサー１５ｂのいずれか１つが重量を検知したら、前記本体８の前記制御部６ａは、前記ファンモータ４へ弱運転の起動を指示することができる。
【００８０】
また、図１３のフローチャートで例えば、２台設置を想定して説明すると、前記外部信号検知部１４ａと前記外部信号検知部１４ｂが検知しない状態で、前記手検知部５が使用者の手を検知すると、強運転で起動するが、起動途中に新たな前記外部信号検知部１４ａもしくは、前記外部信号検知部１４ｂのいづれかが重量を検知すると、いずれかのオムツ台に赤ちゃんがいることを検知したために、即座に弱運転に変更させることができる。
【００８１】
以上のように、製品外に設けた前記外部信号検知部１４ａとの入力を検知し、起動時の前記ファンモータ４の回転数を変更し、送風量を変更することで、共有空間にいる赤ちゃんに静音運転による快適性の確保を実現し、使用者以外の共有空間利用者にも配慮したシステム商品を提供することができる。
【００８２】
また、製品外に設けた前記外部信号検知部１４ａの入力を検知し、製品使用中に外部入力を検知すると前記ファンモータ４の回転数を変更し、送風量を変更することで、共有空間にいる赤ちゃんに静音運転による快適性の確保を実現し、使用者以外の共有空間利用者にも配慮したシステム商品を提供することができる。
【００８３】
さらに、製品外に設けた複数の前記外部信号検知部１４ａと前記外部信号検知部１４ｂの入力を検知し、起動時の前記ファンモータ４の回転数を変更し、送風量を変更することで、共有空間にいる赤ちゃん達に静音運転による快適性の確保を実現し、使用者以外の共有空間利用者にも配慮したシステム商品を提供することができる。
【００８４】
また、製品外に設けた複数の前記外部信号検知部１４ａと前記外部信号検知部１４ｂの入力を検知し、製品使用中に外部入力を検知すると前記ファンモータ４の回転数を変更し、送風量を変更することで、共有空間にいる赤ちゃん達に静音運転による快適性の確保を実現し、使用者以外の共有空間利用者にも配慮したシステム商品を提供することができる。
【産業上の利用可能性】
【００８５】
本発明の手乾燥装置は、レストランやホテルなどの洗面所やトイレに設置され、また病院や手術室や調理場においても適用できる。
【図面の簡単な説明】
【００８６】
【図１】本発明の実施の形態１の手乾燥装置を示す側断面図
【図２】同手乾燥装置の正面図
【図３】同手乾燥装置の制御動作に関するフローチャート
【図４】同制御動作に関する別のフローチャート
【図５】同制御動作に関する別のフローチャート
【図６】同制御動作に関する別のフローチャート
【図７】同制御動作に関する別のフローチャート
【図８】本発明の実施の形態２の手乾燥装置を示す側断面図
【図９】同手乾燥装置を示すシステム構成図
【図１０】同実施の形態２の手乾燥装置の制御動作に関するフローチャート
【図１１】同制御動作に関する別のフローチャート
【図１２】同制御動作に関する別のフローチャート
【図１３】同制御動作に関する別のフローチャート
【符号の説明】
【００８７】
１      乾燥室
２      水受け部
３      ノズル
４      ファンモータ
５      手検知部
６      制御部
６ａ    制御部
７ａ    センサー
７ｂ    センサー
８      本体
９      記憶装置
１０    表示手段
１１    風速変更操作手段
１２    ルーバー
１３    ルーバー可動手段
１４ａ  外部信号検知部
１４ｂ  外部信号検知部
１５ａ  センサー
１５ｂ  センサー
【図１】
2009291225.tif 000003
【図２】
2009291225.tif 000004
【図３】
2009291225.tif 000005
【図４】
2009291225.tif 000006
【図５】
2009291225.tif 000007
【図６】
2009291225.tif 000008
【図７】
2009291225.tif 000009
【図８】
2009291225.tif 000010
【図９】
2009291225.tif 000011
【図１０】
2009291225.tif 000012
【図１１】
2009291225.tif 000013
【図１２】
2009291225.tif 000014
【図１３】
2009291225.tif 000015